(57)【要約】【課題】ＡＶサーバーの同期系入出力ポートの数よりも多い台数の編集端末が同時並行的にＡＶサーバーからＡＶデータを読み込むことができるとともに、ＡＶサーバーからＡＶデータを追いかけ再生させて編集端末で読み込むことができるようにし、且つ、編集端末が跳び跳びのフレームのＡＶデータを読み込む際の待ち時間を短くする。【解決手段】ＡＶサーバー４内の記録手段よりも高速アクセスが可能であり複数台の編集端末１に接続された記録装置２を備え、各編集端末１に、ＡＶサーバー４の同期系入出力ポートから記録装置２へのＡＶデータの転送を要求する第１の処理手段と、第１の処理手段の要求に基づいて記録装置２に記録されたＡＶデータを読み込む第２の処理手段とを含める。【選択図】            図１
2004179913.tif 000002
【特許請求の範囲】
【請求項１】
ＡＶデータの記録手段及び同期系の入出力ポートを有するＡＶサーバーから、複数台の編集端末がＡＶデータを読み込むためのシステムにおいて、
前記ＡＶサーバーの前記記録手段よりも高速アクセスが可能であり、前記複数台の編集端末に接続された記録装置
を備え、
各々の前記編集端末は、
前記ＡＶサーバーの前記入出力ポートから前記記録装置へのＡＶデータの転送を要求する第１の処理手段と、
前記第１の処理手段の要求に基づいて前記記録装置に記録されたＡＶデータを読み込む第２の処理手段と
を有することを特徴とするＡＶサーバーからのＡＶデータの読込みシステム。
【請求項２】
請求項１に記載のＡＶサーバーからのＡＶデータの読込みシステムにおいて、
前記記録装置は、複数のファイバーチャンネルのポートを有しており、
前記記録装置に接続されるとともに前記ＡＶサーバーの前記入出力ポートに接続されており、前記編集端末の前記第１の処理手段からの要求に基づき、前記ＡＶサーバーの前記接続された入出力ポートからＡＶデータを出力させ、該ＡＶデータをフォーマット変換して前記記録装置に記録させるゲートウェイ端末
をさらに備え、
各々の前記編集端末の前記第１の処理手段は、前記ゲーウェイ端末に対して要求を送る
ことを特徴とするＡＶサーバーから編集端末へのＡＶデータの読込みシステム。
【請求項３】
請求項２に記載のＡＶサーバーからのＡＶデータの読込みシステムにおいて、
前記ゲートウェイ端末は、前記記録装置がＡＶデータを記録するファイルに、該ファイルのうちＡＶデータを記録済みの部分を示す情報を記録させ、
各々の前記編集端末の前記第２の処理手段は、前記ファイル中の前記情報に基づき、前記ファイルのうちＡＶデータを記録済みの部分からＡＶデータを読み込む
ことを特徴とするＡＶサーバーからのＡＶデータの読込みシステム。
【請求項４】
ＡＶデータの記録手段及び同期系の入出力ポートを有するＡＶサーバーから、複数台の編集端末がＡＶデータを読み込む方法において、
各々の前記編集端末が、前記ＡＶサーバーの前記入出力ポートから、前記ＡＶサーバーの前記記録手段よりも高速アクセスが可能であり前記複数台の編集端末に接続された記録装置へのＡＶデータの転送を要求する第１のステップと、
各々の前記編集端末が、前記第１のステップでの要求に基づいて前記記録装置に記録されたＡＶデータを読み込む第２のステップと
を有することを特徴とするＡＶサーバーからのＡＶデータの読込み方法。
【請求項５】
請求項４に記載のＡＶサーバーからのＡＶデータの読込み方法において、
前記第１のステップで、各々の前記編集端末が、複数のファイバーチャンネルのポートを有する前記記録装置に接続されるとともに前記ＡＶサーバーの前記入出力ポートに接続されたゲートウェイ端末に要求を送り、
前記ゲートウェイ端末が、前記編集端末からの要求に基づき、前記ＡＶサーバーの前記接続された入出力ポートからＡＶデータを出力させ、該ＡＶデータをフォーマット変換して前記記録装置に記録させるステップ
をさらに有することを特徴とするＡＶサーバーからのＡＶデータの読込み方法。
【請求項６】
請求項５に記載のＡＶサーバーからのＡＶデータの読込み方法において、
前記ゲートウェイ端末が、前記記録装置がＡＶデータを記録するファイルに、該ファイルのうちＡＶデータを記録済みの部分を示す情報を記録させるステップをさらに有し、
前記第２のステップで、前記ファイル中の前記情報に基づき、前記ファイルのうちＡＶデータを記録済みの部分からＡＶデータを読み込む
ことを特徴とするＡＶサーバーからのＡＶデータの読込み方法。
【発明の詳細な説明】
【０００１】
【発明の属する技術分野】
本発明は、ＡＶサーバーから、複数台の編集端末がＡＶデータを読み込むためのシステム及び方法に関する。
【０００２】
【従来の技術】
今日、放送局では、素材であるＡＶデータ（映像データ及び音声データ）を、大容量のＡＶサーバーに蓄積することが一般的になっている。
【０００３】
ＡＶサーバーは、一般に、複数台のハードディスクドライブを用いて構成したＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ  ）を有するとともに、ＳＤＩ（Ｓｅｒｉａｌ  Ｄｉｇｉｔａｌ  Ｉｎｔｅｒｆａｃｅ）に代表される同期系の入出力ポートを複数有している。また、ＳＤＩ入出力ポート以外に、ＴＣＰ／ＩＰプロトコルに則ってネットワーク経由で通信を行うためのネットワークインタフェースを有するＡＶサーバーも存在している。
【０００４】
外部（放送局内のＶＴＲや、放送局と広域ネットワークで結ばれた取材現場のビデオカメラ等）からＡＶサーバーに送られたＡＶデータは、それぞれいずれかのＳＤＩ入出力ポートに入力されて、そのＳＤＩ入出力ポートで圧縮処理等を施される。そして、そのＳＤＩ入出力ポートからＲＡＩＤに送られて、ＲＡＩＤに記録される。
【０００５】
また、ＲＡＩＤから読み出されていずれかのＳＤＩ入出力ポートに送られたＡＶデータは、そのＳＤＩ入出力ポートで伸長処理等を施される。そして、そのＳＤＩ入出力ポートから出力されて、ＡＶサーバーから外部（オンエア用サーバーやバックアップ用サーバー等）に送られる。
【０００６】
ところで、放送局では、ＡＶサーバーに蓄積した素材をオンエア時にそのまま送出するのではなく、その素材を編集端末（ノンリニア編集機）で編集し、その編集結果（いわゆる「完パケ」）を番組放送時に送出することが多い。
【０００７】
従来、ＡＶサーバーに蓄積されたＡＶデータを編集端末がＡＶサーバーから読み込む方法としては、次の（ａ），（ｂ）のいずれかの方法を採っていた。
【０００８】
（ａ）ＡＶサーバーのＳＤＩ入出力ポートと編集端末とを１対１に対応させて接続し、対応するＳＤＩ入出力ポートから出力させたＡＶデータを編集端末が読み込む（例えば、特許文献１参照。）。
【０００９】
（ｂ）ＴＣＰ／ＩＰプロトコルのネットワークインタフェースを有するＡＶサーバーでは、そのネットワークインタフェースからファイル転送プロトコル（ＦＴＰ）によって送信させたＡＶデータを編集端末が読み込む。
【００１０】
【特許文献１】
特開平８−２２１９５１号公報（段落番号０００３〜０００６、図３）
【００１１】
【発明が解決しようとする課題】
しかし、上記（ａ）の方法には、入出力ポートと編集端末とを１対１に対応させるので、ＡＶサーバーから、ＳＤＩ入出力ポートの数よりも多い台数の編集端末が同時並行的にＡＶデータを読み込むことができない（すなわち、ＡＶサーバーのＤＩ入出力ポートの数が、そのＡＶサーバーに蓄積されている素材を同時に編集することのできる編集端末の台数の上限になる）という不都合があった。
【００１２】
放送局では、ＡＶサーバーに蓄積された各種・多量の素材を、複数台の編集端末で同時に編集する場合が少なくない。そうした場合に、同時に編集することのできる編集端末の台数がこのように制限されてしまうことは、たいへん不便である。
【００１３】
また、上記（ｂ）の方法には、ファイルが完成した後でなければそのファイル内のＡＶデータを再生できないというファイル転送プロトコルの性質上、外部からＡＶサーバーにＡＶデータを蓄積しながら同時にそのＡＶデータをＡＶサーバーから再生させて（追いかけ再生して）編集端末が読み込むことができないという不都合があった。
【００１４】
例えばニュース番組では、ＡＶサーバーに蓄積される素材を、オンエア予定時刻までの限られた時間内に編集することが要求される場合が少なくない。そうした場合に追いかけ再生ができないことは、たいへん不便である。
【００１５】
また、上記（ａ），（ｂ）のいずれの方法にも、ＡＶサーバーのＲＡＩＤではＡＶデータが複数台のハードディスクドライブに分散されて記録される関係上、跳び跳びのフレームのＡＶデータを編集端末が読み込む際に、或るＡＶデータを読み込んでから次にＡＶデータを読み込むまでの待ち時間（レイテンシー（ｌａｔｅｎｃｙ  ））が長くなってしまうという不都合があった。
【００１６】
編集作業は映像をフレーム単位で跳ばして見ながら行うことが多いので、編集端末には跳び跳びのフレームのＡＶデータを読み込む場合が多い。そうした場合に待ち時間が長くなることは、たいへん不便である。
【００１７】
本発明は、上述の点に鑑み、ＡＶサーバーの同期系入出力ポートの数よりも多い台数の編集端末が同時並行的にＡＶサーバーからＡＶデータを読み込むことができるとともに、ＡＶサーバーからＡＶデータを追いかけ再生させて編集端末で読み込むことができるようにし、且つ、編集端末が跳び跳びのフレームのＡＶデータを読み込む際の待ち時間を短くすることを課題としてなされたものである。
【００１８】
【課題を解決するための手段】
この課題を解決するために、本出願人は、ＡＶデータの記録手段及び同期系の入出力ポートを有するＡＶサーバーから、複数台の編集端末がＡＶデータを読み込むためのシステムにおいて、ＡＶサーバーの記録手段よりも高速アクセスが可能であり、これらの複数台の編集端末に接続された記録装置を備え、各編集端末は、ＡＶサーバーの入出力ポートからこの記録装置へのＡＶデータの転送を要求する第１の処理手段と、この第１の処理手段の要求に基づいてこの記録装置に記録されたＡＶデータを読み込む第２の処理手段とを有するＡＶサーバーからのＡＶデータの読込みシステムを提案する。
【００１９】
この読込みシステムでは、ＡＶサーバー内の記録手段よりも高速アクセスが可能な記録装置に接続された複数台の編集端末の各々が、それぞれ第１の処理手段でＡＶサーバーの同期系入出力ポートからこの記録装置へのＡＶデータの転送を要求した後、この記録装置に記録されたＡＶデータを第２の処理手段で読み込むことにより、ＡＶサーバーからその編集端末にＡＶデータが読み込まれる。
【００２０】
したがって、ＡＶサーバーが１つの同期系入出力ポートからこの記録装置にＡＶデータを転送することにより、この記録装置を介して複数台の編集端末が同時並行的にこのＡＶサーバーからＡＶデータを読み込むことができる。これにより、ＡＶサーバーの同期系入出力ポートの数よりも多い台数の編集端末が同時並行的にＡＶサーバーからＡＶデータを読み込むことができる。
【００２１】
また、同期系入出力ポートからＡＶデータを出力する（ネットワークインタフェースからファイル転送プロトコルによって送信するのではない）ので、ＡＶサーバーからＡＶデータを追いかけ再生させて編集端末で読み込むことができる。
【００２２】
また、この記録装置はＡＶサーバー内の記録手段よりも高速アクセス可能なので、編集端末（第２の処理手段）がこの記録装置から跳び跳びのフレームのＡＶデータを読み込む際の待ち時間は、ＡＶサーバーから跳び跳びのフレームのＡＶデータを読み込む際の待ち時間よりも短くなる。
【００２３】
なお、この読込みシステムにおいて、例えば、この記録装置として、複数のファイバーチャンネルのポートを有するものを用い、この記録装置に接続されるとともにＡＶサーバーの同期系入出力ポートに接続されており、編集端末の第１の処理手段からの要求に基づき、ＡＶサーバーのこの接続された同期系入出力ポートからＡＶデータを出力させ、そのＡＶデータをフォーマット変換してこの記録装置に記録させるゲートウェイ端末をさらに備え、各編集端末の第１の処理手段はこのゲーウェイ端末に対して要求を送るようにすることが好適である。
【００２４】
それにより、ゲートウェイ端末・記録装置・編集端末間のＡＶデータの送受信がファイバーチャンネルによって行われるので、ファイバーチャンネルの特性を生かしたネットワーク接続を行うことにより、ＡＶサーバーの１つの同期系入出力ポートにつきより一層多い台数の編集端末が同時並行的にＡＶサーバーからＡＶデータを読み込むことができるようになる。
【００２５】
また、このようにゲートウェイ端末・記録装置・編集端末間のＡＶデータの送受信をファイバーチャンネルによって行う場合において、一例として、ゲートウェイ端末は、記録装置がＡＶデータを記録するファイルに、そのファイルのうちＡＶデータを記録済みの部分を示す情報を記録させ、各編集端末の第２の処理手段は、そのファイル中のこの情報に基づき、そのファイルのうちＡＶデータを記録済みの部分からＡＶデータを読み込むようにすることが好適である。
【００２６】
それにより、記録装置がファイルにＡＶデータを記録している途中に編集端末が記録装置からそのＡＶデータを読み込む場合にも、そのファイルのうちまだＡＶデータが記録されていない部分を編集端末が読み超してしまうというような事態を防止することができるようになる。
【００２７】
次に、本出願人は、ＡＶデータの記録手段及び同期系の入出力ポートを有するＡＶサーバーから、複数台の編集端末がＡＶデータを読み込む方法において、各編集端末が、ＡＶサーバーの同期系入出力ポートから、ＡＶサーバーの記録手段よりも高速アクセスが可能でありこれらの複数台の編集端末に接続された記録装置へのＡＶデータの転送を要求する第１のステップと、各編集端末が、この第１のステップでの要求に基づいてこの記録装置に記録されたＡＶデータを読み込む第２のステップとを有するＡＶサーバーからのＡＶデータの読込み方法を提案する。
【００２８】
この読込み方法によれば、前述の本発明に係る読込みシステムにおけるのと全く同様にして、ＡＶサーバーの同期系入出力ポートの数よりも多い台数の編集端末が同時並行的にＡＶサーバーからＡＶデータを読み込むことができるとともに、ＡＶサーバーからＡＶデータを追いかけ再生させて編集端末で読み込むことができ、且つ、編集端末が跳び跳びのフレームのＡＶデータを読み込む際の待ち時間が短くなる。
【００２９】
【発明の実施の形態】
以下、本発明を放送局のニュース制作システムに適用した例について、図面を用いて具体的に説明する。
【００３０】
図１は、本発明を適用したニュース制作システムの全体構成例を示す。このシステムは、２台の編集端末１と、ソリッドステートディスク（ＳＳＤ）２と、ゲートウェイ端末３と、ＡＶサーバー４とを含んでいる。このうちの各編集端末１，ＳＳＤ２及びゲートウェイ端末３の部分が、本発明に係る読込みシステムを構成している。
【００３１】
ＳＳＤ２は、ソリッドステートメモリ（ＳＤＲＡＭ  ）を搭載するとともにファイバーチャンネルのポートを４つ有するストレージシステムであり、ハードディスクドライブよりも高速アクセスが可能である。
【００３２】
ＡＶサーバー４内では、図示は省略するが、ＳＤＩ入出力ポートと、ＲＡＩＤと、ＡＶサーバー全体を制御するコントローラとが、バスを介して接続されている。
【００３３】
各編集端末１とＳＳＤ２とは、ファイバーチャンネルで接続されている。ゲートウェイ端末３は、ＡＶサーバー４内のコントローラ及びＳＤＩ入出力ポートに接続されるとともに、ファイバーチャンネルでＳＳＤ２に接続されている。
【００３４】
また、各編集端末１とゲートウェイ端末３とは、イーサネット（登録商標）（登録商標）５（「イーサネット（登録商標）（登録商標）」は登録商標）で接続されている。編集端末１，ゲートウェイ端末３は、それぞれワークステーションのようなコンピュータで構成されている。
【００３５】
図２は、編集端末１，ゲートウェイ端末３にインストールされているソフトウェアを示す。編集端末１には、編集用のアプリケーションソフトウェアであるエディタ１１の他に、ＡＶサーバー４のＳＤＩ入出力ポートからＳＳＤ２へのＡＶデータの転送をイーサネット（登録商標）（登録商標）経由でゲートウェイ端末３に対して要求する処理のソフトウェアであるＩＦＣ１２と、ＳＳＤ２に記録されたＡＶデータを編集端末１に読み込む（そのためにＳＳＤ２のシステムソフトウェアであるＳＳＤ−ＦＣ２１との間でやり取りを行ってＳＳＤ２を制御する）処理のソフトウェアであるＦＳＤ１３とがインストールされている。
【００３６】
ゲートウェイ端末３には、編集端末１内のＩＦＣ１２からの要求に基づいてＡＶサーバー４からＡＶデータを送信させ、ＡＶデータをファイバーチャンネルでの伝送用にフォーマット変換するソフトウェアであるゲートウェイ３２と、ゲートウェイ３２によってフォーマット変換されたＡＶデータをＳＳＤ２に記録させる（そのためにＳＳＤ２のシステムソフトウェアであるＳＳＤ−ＦＣ２１との間でやり取りを行ってＳＳＤ２を制御する）処理のソフトウェアであるＦＤＬ３１とがインストールされている。
【００３７】
図３は、各編集端末１がＡＶサーバー４から素材（ＡＶデータ）を読み込む際の、図２のエディタ１１，ＩＦＣ１２，ＦＳＤ１３，ゲートウェイ３２，ＦＤＬ３１による処理のシーケンスを示す。
【００３８】
エディタ１１による操作画面上で、ＡＶサーバー４に蓄積されている或るファイルをＳＳＤ２へ転送させる操作が行われると、編集端末１内のエディタ１１が、同じ編集端末１内のＩＦＣ１２に、ＳＳＤ２への転送要求を送る。
【００３９】
ＩＦＣ１２は、この転送要求を受けると、イーサネット（登録商標）（登録商標）５（図１）経由で、ゲートウェイ端末３内のゲートウェイ３２に、ＳＳＤ２へのそのファイルのロード要求を送る。
【００４０】
ゲートウェイ３２は、このロード要求に基づき、ＡＶサーバー４内のコントローラに対し、そのファイル名を指定して、ゲートウェイ端末３と接続されているＳＤＩ入出力ポートからそのファイル内のＡＶデータを出力させることを要求する。また、ゲートウェイ端末３内のＦＤＬ３１を介して、そのＡＶデータを記録するためのファイルをＳＳＤ２に作成させる。そして、ロード要求を送った編集端末１内のＩＦＣ１２に、ロードが開始された旨及びＳＳＤ２に作成されたファイル名をイーサネット（登録商標）（登録商標）５経由で通知する。
【００４１】
続いて、ゲートウェイ３２は、ＡＶサーバー４のＳＤＩ入出力ポートからゲートウェイ端末３にＡＶデータが送られると、そのＡＶデータを、ファイバーチャンネルでの伝送用にフォーマット変換した後、ＦＤＬ３１を介してＳＳＤ２に送信して、ＳＳＤ２内の作成されたファイルに書き込ませる。また、ＦＤＬ３１を介して、そのファイルのメタデータ記録用の領域に、そのファイルのうちＡＶデータが記録された部分の終端を示す情報であるエンド・オブ・データ（ＥＯＤ）を記録させる。
【００４２】
続いて、ゲートウェイ３２は、ＡＶサーバー４からのＡＶデータを全てＳＳＤ２内のそのファイルに書き込ませると、ＦＤＬ３１を介して、そのファイルのメタデータ記録用の領域に書込み終了ビットを記録させる。そして、ＦＤＬ３１を介してＳＳＤ２にそのファイルを閉じさせ、ＡＶサーバー内のコントローラに対してもファイルを閉じさせる。
【００４３】
編集端末１内のＩＦＣ１２は、ゲートウェイ端末３内のゲートウェイ３２からロードが開始された旨及びＳＳＤ２に作成されたファイル名が通知されると、編集端末１内のエディタ１１に、ＳＳＤ２への転送要求を受けた旨（‘ＯＫ’）及びＳＳＤ２に作成されたファイル名を通知する。
【００４４】
編集端末１内のエディタ１１がＩＦＣ１２からこの通知を受けた後、エディタ１１による操作画面上で、ＳＳＤ２に転送させたＡＶデータを編集端末１に読み込む操作が行われると、エディタ１１が、同じ編集端末１内のＦＳＤ１３を介し、ＳＳＤ２に対して、ＩＦＣ１２から通知されたファイル名を指定する。
【００４５】
ＳＳＤ２は、このファイル名の指定に対し、編集端末１内のＦＳＤ１３を介して、そのファイルのハンドル値（システム内でそのファイルに固有な値）をエディタ１１に返す。
【００４６】
エディタ１１は、ハンドル値が返されると、ＦＳＤ１３を介して、そのファイル内のメタデータをＳＳＤ２から随時読み込みつつ、そのファイルのうちそのメタデータ中のＥＯＤで示される終端よりも前の部分のＡＶデータをＳＳＤ２から編集端末１に読み込む。また、そのメタデータ中に書込み終了ビットが含まれていると、そのファイルに全てのＡＶデータが書き込まれたことを知ることができる。
【００４７】
図４は、編集端末での編集結果（編集済みＡＶデータ）をＡＶサーバー４に書き込む際の、図２のエディタ１１，ＩＦＣ１２，ＦＳＤ１３，ゲートウェイ３２，ＦＤＬ３１による処理のシーケンスを示す。
【００４８】
図３のシーケンスで編集端末１に読み込まれたＡＶデータがエディタ１１による操作画面上で編集された後、編集済みのＡＶデータをＡＶサーバー４に書き込ませる操作がこの操作画面上で行われると、編集端末１内のエディタ１１が、同じ編集端末１内のＦＳＤ１３を介して、その編集済みＡＶデータを記録するためのファイルをＳＳＤ２内に作成させる。
【００４９】
ＳＳＤ２は、編集端末１内のＦＳＤ１３を介して、作成したファイルのハンドル値（システム内でそのファイルに固有な値）をエディタ１１に返す。
【００５０】
エディタ１１は、ハンドル値が返されると、ＦＳＤ１３を介して、ＳＳＤ２に対し、その作成したファイルへの編集済みＡＶデータの書込みを開始させる。そして、同じ編集端末１内のＩＦＣ１２に、ＳＳＤ２内のそのファイルのＡＶデータのＡＶサーバー４への転送要求を送る。
【００５１】
ＩＦＣ１２は、この転送要求を受けると、イーサネット（登録商標）（登録商標）５（図１）経由で、ゲートウェイ端末３内のゲートウェイ３２に、ＳＳＤ２が作成したファイルのＡＶサーバー４への保存要求を送る。
【００５２】
ゲートウェイ端末３内のゲートウェイ３２は、この保存要求に基づき、ＡＶサーバー４内のコントローラに対し、その編集済みＡＶデータを記録するためのファイルを作成させる。また、ゲートウェイ端末３内のＦＤＬ３１を介し、ＳＳＤ２に対して、編集済みＡＶデータを記録するために作成したファイルを指定する。そして、保存要求を送った編集端末１内のＩＦＣ１２に、保存が開始された旨及びＡＶサーバー４に作成されたファイル名をイーサネット（登録商標）（登録商標）５経由で通知する。
【００５３】
編集端末１内のＩＦＣ１２は、ゲートウェイ端末３内のゲートウェイ３２から保存が開始された旨及びＡＶサーバー４に作成されたファイル名が通知されると、編集端末１内のエディタ１１に、ＡＶサーバーへの保存要求を受けた旨（‘ＯＫ’）及びＡＶサーバー４に作成されたファイル名を通知する。
【００５４】
編集端末１内のエディタ１１は、ＦＳＤ１３を介して、ＳＳＤ２に対し、編集済みのＡＶデータをファイルに書き込ませつつ、そのファイルのメタデータ記録用の領域に、そのファイルのうちＡＶデータが記録された部分の終端を示す情報であるエンド・オブ・データ（ＥＯＤ）を記録させる。そして、編集済みのＡＶデータを全て書き込ませると、そのファイルのメタデータ記録用の領域に、全てのＡＶデータを書き込んだことを示す書込み終了ビットを記録する。（前述の編集済みＡＶデータの書込み開始時からこの書込み終了ビットの記録時までが、ＳＳＤ２のファイルに実際にデータが書き込まれている期間である。）
【００５５】
ゲートウェイ端末３内のゲートウェイ３２は、編集端末１内のＩＦＣ１２に保存が開始された旨及びＡＶサーバー４に作成されたファイル名を通知した後、ＦＤＬ３１を介して、ＳＳＤ２に作成されたファイルのメタデータをＳＳＤ２から随時読み込みつつ、そのファイルのうちメタデータ中のＥＯＤで示される終端よりも前の部分のＡＶデータをＳＳＤ２から読み込む。そして、読み込んだＡＶデータを、ＳＤＩでの伝送用にフォーマット変換した後、ＡＶサーバー４のＳＤＩ入出力ポートに入力させて、ＡＶサーバー４の作成されたファイルに書き込ませる。
【００５６】
そして、ゲートウェイ３２は、ＳＳＤ２に作成されたファイルのメタデータとして書込み終了ビットを読み込むと、そのファイルのメタデータ領域に転送済みビットを記録する。そして、ＡＶサーバー４のコントローラに対して、作成したファイルを閉じさせる。また、ＦＤＬ３１を介して、ＳＳＤ２にもファイルを閉じさせる。
【００５７】
編集端末１内のエディタ１１は、ＳＳＤ２に作成されたファイルのメタデータ記録用の領域に書込み終了ビットを記録した後、そのファイルのメタデータ領域から転送済みビットを読み込むと、ＦＳＤ１３を介して、ＳＳＤ２にファイルを閉じさせる。ＳＳＤ２は、ファイルを閉じると、ＦＳＤ１３を介して、ファイルを閉じた旨（‘ＯＫ’）をエディタ１１に通知する。
【００５８】
次に、このニュース制作システムにおいて、ＡＶサーバー４に蓄積された素材を各編集端末１で編集する様子について説明する。
【００５９】
各編集端末１のオペレータが、エディタ１１による操作画面上で、それぞれＡＶサーバー４に蓄積されているファイル（例えば或る取材現場のビデオカメラから広域ネットワークで放送局に送られてＡＶサーバーに蓄積されたＡＶデータ）をＳＳＤ２へ転送させる操作を行うと、その編集端末１内のエディタ１１，ＩＦＣ１２及びゲートウェイ端末３内のゲートウェイ３２，ＦＤＬ３１により、そのファイル内のＡＶデータが、ＡＶサーバー４の共通のＳＤＩ入出力ポートから出力されてＳＳＤ２に転送・記録される（図３）。
【００６０】
続いて、それらのオペレータが、エディタ１１による操作画面上で、それぞれＳＳＤ２に転送させたＡＶデータを編集端末１に読み込む操作を行うと、その編集端末１内のエディタ１１，ＩＦＣ１２，ＦＳＤ１３により、ＳＳＤ２に転送・記録されたＡＶデータがその編集端末１に読み込まれる（図３）。
【００６１】
それらのオペレータが、エディタ１１による操作画面上で、それぞれこの読み込んだＡＶデータを編集する操作（カット編集やタイムライン上での貼付け等）を行った後編集済みＡＶデータをＡＶサーバー４に書き込ませる操作を行うと、その編集端末１内のエディタ１１，ＩＦＣ１２，ＦＳＤ１３及びゲートウェイ端末３内のゲートウェイ３２，ＦＤＬ３１により、編集済みＡＶデータが、その編集端末１からＳＳＤ２に転送・記録された後、ＳＳＤ２からＡＶサーバー４の共通のＳＤＩ入出力ポートに入力してＡＶサーバー４に書き込まれる（図４）。
【００６２】
このように、このニュース制作システムでは、ＡＶサーバー４内のＲＡＩＤよりも高速アクセスが可能なＳＳＤ２に接続された２台の編集端末１の各々が、それぞれエディタ１１及びＩＦＣ１２でＡＶサーバー４の共通のＳＤＩ入出力ポートからＳＳＤ２へのＡＶデータの転送を要求した後、ＳＳＤ２に記録されたＡＶデータをエディタ１１及びＦＳＤ１３で読み込むことにより、ＡＶサーバー４からその編集端末１にＡＶデータが読み込まれる。
【００６３】
したがって、ＡＶサーバー４が１つのＳＤＩ入出力ポートからＳＳＤ２にＡＶデータを転送することにより、ＳＳＤ２を介して２台の編集端末１が同時並行的にＡＶサーバー４からＡＶデータを読み込むことができる。これにより、ＡＶサーバー４のＳＤＩ入出力ポートの数よりも多い台数（１つのＳＤＩ入出力ポートあたり２台）の編集端末が同時並行的にＡＶサーバー４からＡＶデータを読み込むことができるようになっている。
【００６４】
また、ＳＤＩ入出力ポートからＡＶデータを出力する（ネットワークインタフェースからファイル転送プロトコルによって送信するのではない）ので、ＡＶサーバー４からＡＶデータを追いかけ再生させて編集端末１で読み込むことができるようになっている。
【００６５】
また、ＳＳＤ２はＡＶサーバー４内のＲＡＩＤよりも高速アクセス可能なので、編集端末２（エディタ１１及びＦＳＤ１３）がＳＳＤ２から跳び跳びのフレームのＡＶデータを読み込む際の待ち時間は、ＡＶサーバー４から跳び跳びのフレームのＡＶデータを読み込む際の待ち時間よりも短くなっている。
【００６６】
また、ゲートウェイ端末３（ゲートウェイ３２）は、ＳＳＤ２がＡＶデータを記録するファイルのメタデータ領域に、そのファイルのうちＡＶデータを記録済みの部分を示す情報であるエンド・オブ・データ（ＥＯＤ）を記録させ、各編集端末１（エディタ１１）は、このＥＯＤに基づいてそのファイルのうちＡＶデータを記録済みの部分からＡＶデータを読み込むようになっているので、ＳＳＤ２がファイルにＡＶデータを記録している途中に編集端末１がＳＳＤ２からそのＡＶデータを読み込む場合にも、そのファイルのうちまだＡＶデータが記録されていない部分を編集端末１が読み超してしまうというような事態を防止することもできるようになっている。
【００６７】
最後に、図５は、このニュース制作システムにおける、編集端末１・ＳＳＤ２・ゲートウェイ端末３間の接続の変更例を示す。
【００６８】
このうち、図５Ａの例では、ＳＳＤ２が有する４つのファイバーチャンネルのポートを全て使用して、ＳＳＤ２に３台の編集端末１を接続している。この例では、ＡＶサーバー４の１つのＳＤＩ入出力ポートにつき３台の編集端末１が同時並行的にＡＶサーバー４からＡＶデータを読み込むことができる。
【００６９】
図５Ｂの例では、複数台の編集端末１・ＳＳＤ２を１対１に対応させて接続するとともに、各ＳＳＤ２をゲートウェイ端末３にカスケード状に接続している。この例では、ＡＶサーバー４の１つのＳＤＩ入出力ポートにつきこれら複数台の編集端末１が同時並行的にＡＶサーバー４からＡＶデータを読み込むことができる。
【００７０】
図５Ｃの例では、複数台の編集端末１・ＳＳＤ２を１対１に対応させて接続するとともに、各ＳＳＤ２をＦＣ（ファイバーチャンネル）スイッチ６を介してゲートウェイ端末３に接続している。この例でも、ＡＶサーバー４の１つのＳＤＩ入出力ポートにつきこれら複数台の編集端末１が同時並行的にＡＶサーバー４からＡＶデータを読み込むことができる。
【００７１】
このように、このニュース制作システムでは、ゲートウェイ端末３・ＳＳＤ２・編集端末１間のＡＶデータの送受信がファイバーチャンネルによって行われるので、図５の各例のようにファイバーチャンネルの特性を生かしたネットワーク接続を行うことにより、ＡＶサーバー４の１つのＳＤＩ入出力ポートにつきより一層多い台数の編集端末１が同時並行的にＡＶサーバー４からＡＶデータを読み込むことができるようになる。
【００７２】
なお、以上の例では、ＳＤＩポートを有するＡＶサーバーを、本発明によるＡＶデータの読込み対象にしている。しかし、これに限らず、ＳＤＩ以外の同期系入出力ポートを有するＡＶサーバーを、本発明によるＡＶデータの読込み対象にしてもよい。
【００７３】
また、以上の例では、ニュース制作システムに本発明を適用している。しかし、これに限らず、ＡＶサーバーから編集端末にＡＶデータを読み込む必要の或る適宜のシステム（例えば、ニュース以外の番組の制作システムや、ＣＭの制作システムや、映画の制作システム）にも本発明を適用してよい。
【００７４】
また、本発明は、以上の例に限らず、本発明の要旨を逸脱することなく、その他様々の構成をとりうることはもちろんである。
【００７５】
【発明の効果】
以上のように、本発明に係る読込みシステム，読込み方法によれば、ＡＶサーバーの同期系入出力ポートの数よりも多い台数の編集端末が同時並行的にＡＶサーバーからＡＶデータを読み込むことができるとともに、ＡＶサーバーからＡＶデータを追いかけ再生させて編集端末で読み込むことができ、且つ、編集端末が跳び跳びのフレームのＡＶデータを読み込む際の待ち時間が短くなるという効果が得られる。
【００７６】
また、ファイバーチャンネルの特性を生かしたネットワーク接続を行うことにより、ＡＶサーバーの１つの同期系入出力ポートにつきより一層多い台数の編集端末が同時並行的にＡＶサーバーからＡＶデータを読み込むことができるという効果も得られる。
【００７７】
また、記録装置がファイルにＡＶデータを記録している途中に編集端末が記録装置からそのＡＶデータを読み込む場合にも、そのファイルのうちまだＡＶデータが記録されていない部分を編集端末が読み超してしまうというような事態を防止することができるという効果も得られる。
【図面の簡単な説明】
【図１】本発明を適用したニュース制作システムの全体構成を示す図である。
【図２】図１の編集端末・ゲートウェイ端末内のソフトウェアを示す図である。
【図３】図１の各編集端末がＡＶサーバーから素材を読み込む際の図２のソフトウェアによるシーケンスを示す図である。
【図４】図１の各編集端末が編集結果をＡＶサーバーに書き込む際の図２のソフトウェアによるシーケンスを示す図である。
【図５】図１のシステムでの編集端末・ＳＳＤ・ゲートウェイ端末間の接続の変更例を示す図である。
【符号の説明】
１  編集端末、  ２  ＳＳＤ、  ３  ゲートウェイ端末、  ４  ＡＶサーバー、  ５  イーサネット（登録商標）（登録商標）、  ６  ＦＣスイッチ
【図１】
2004179913.tif 000003
【図２】
2004179913.tif 000004
【図３】
2004179913.tif 000005
【図４】
2004179913.tif 000006
【図５】
2004179913.tif 000007